(57)【特許請求の範囲】
【請求項１】
画像データに基づいた画像を用紙に形成する画像形成部と
前記用紙の画像形成に関連する特性として設定される情報である用紙プロファイルを記憶する記憶部と、
前記用紙を種類に応じてトレイに収容しており選択された用紙を前記トレイから前記画像形成部に送る給紙部と、
前記用紙プロファイルを管理すると共に、画像形成に用いる前記用紙を選択し、選択された前記用紙の前記用紙プロファイルに応じて前記画像形成部における画像形成の際の各種条件を決定して画像形成を制御する制御部と、
を有する画像形成装置であって、
前記制御部は、
一つのトレイに対して複数の用紙プロファイルを適用可能に選択し、
同一の前記画像データについての前記トレイからの前記用紙を用いた画像形成を、選択された複数の前記用紙プロファイルそれぞれを適用して繰り返し実行するよう制御し、当該繰り返し実行された画像形成の結果に基づいて、複数の前記用紙プロファイルのいずれか１つを選択可能に表示することにより、複数の前記用紙プロファイルの中からユーザによって最適なプロファイルが選択されるように制御し、一つのトレイに対して複数の用紙プロファイルを適用可能に選択する際に、共通のグループ名称を有する複数の前記用紙プロファイルからなる一群の用紙プロファイル群を、選択の対象群として扱う、
ことを特徴とする画像形成装置。
【請求項２】
前記制御部は、複数の前記用紙プロファイルそれぞれを適用した画像形成を実行する際に、各用紙に対して適用中の前記用紙プロファイルの名称を付加して画像形成する、
ことを特徴とする請求項１に記載の画像形成装置。
【請求項３】
前記制御部は、
複数の前記用紙プロファイルそれぞれを適用した画像形成を実行した後に、前記複数の用紙プロファイルのうちの最適な一つの用紙プロファイルの確定選択を受け付け、
複数の前記用紙プロファイルを適用した画像形成を実行した前記用紙が収容された前記トレイに、確定選択を受け付けた前記用紙プロファイルを適用する、
ことを特徴とする請求項１−請求項２のいずれか一項に記載の画像形成装置。
【請求項４】
前記制御部は、既存の用紙プロファイルを用いて新たな用紙プロファイルを生成する際に、新たに生成された前記用紙プロファイルに既存の前記用紙プロファイルと共通のグループ名称を設定する、
ことを特徴とする請求項１に記載の画像形成装置。
【請求項５】
画像データに基づいた画像を用紙に形成する画像形成部と前記用紙の画像形成に関連する特性として設定される情報である用紙プロファイルを記憶する記憶部と、前記用紙を種類に応じてトレイに収容しており選択された用紙を前記トレイから前記画像形成部に送る給紙部と、前記用紙プロファイルを管理すると共に、画像形成に用いる前記用紙を選択し、選択された前記用紙の前記用紙プロファイルに応じて前記画像形成部における画像形成の際の各種条件を決定して画像形成を制御する制御部と、を備えた画像形成装置を制御する画像形成制御方法であって、
一つのトレイに対して複数の用紙プロファイルを適用可能に選択し、
同一の前記画像データについての前記トレイからの前記用紙を用いた画像形成を、選択された複数の前記用紙プロファイルそれぞれを適用して繰り返し実行するよう制御し、当該繰り返し実行された画像形成の結果に基づいて、複数の前記用紙プロファイルのいずれか１つを選択可能に表示することにより、複数の前記用紙プロファイルの中からユーザによって最適なプロファイルが選択されるように制御し、一つのトレイに対して複数の用紙プロファイルを適用可能に選択する際に、共通のグループ名称を有する複数の前記用紙プロファイルからなる一群の用紙プロファイル群を、選択の対象群として扱う、
ことを特徴とする画像形成制御方法。
【請求項６】
複数の前記用紙プロファイルそれぞれを適用した画像形成を実行した後に、前記複数の用紙プロファイルのうちの最適な一つの用紙プロファイルの確定選択を受け付け、
複数の前記用紙プロファイルを適用した画像形成を実行した前記用紙が収容された前記トレイに、確定選択を受け付けた前記用紙プロファイルを適用する、
ことを特徴とする請求項５に記載の画像形成制御方法。
【発明の詳細な説明】
【技術分野】
【０００１】
本発明は、画像形成装置及び画像形成制御方法に関し、画像形成に用いる用紙に適用する用紙プロファイルの適切な管理に関する。
【背景技術】
【０００２】
電子写真方式のプリンタや複写機等の画像形成装置には、多様なプロセス条件（画像形成における各種の設定や条件）に対応するために複数種類の用紙を収容するトレイが各用紙別に複数設けられている。
そして、このような画像形成装置によると、用紙種類や坪量、紙色、表裏の倍率差といった用紙の種類やプロセス条件を示す属性情報を含んだ用紙設定情報（用紙プロファイル）が、記憶部等から読み出されて各トレイに設定される。
【０００３】
そのため、当該画像形成装置は、各トレイに設定された用紙設定情報のＩＤから、受け付けた印刷ジョブに含まれる用紙設定情報で指定されるＩＤを検索することにより一つのトレイを特定し、当該特定したトレイから用紙を給紙することができる。
なお、軽印刷の分野においては、用紙の種類が非常に多く存在しており、各々の用紙にはそれに適した詳細なプロセス条件を設定しなければ、適切に用紙上に画像を形成することができない。
【０００４】
なお、用紙プロファイルは、以下に説明するような大きく２つの構成要素から成っている。
構成要素１：
機械、使用トレイによらず固定であるもの。例えば、用紙に関しては、用紙サイズ、坪量等、である。
【０００５】
構成要素２：
同じ製品（同一型番の画像形成装置）であっても、各機械、各使用トレイにより異なるため、調整が必要なもの。例えば、表裏調整値、プロセス調整値等、である。
以上のような用紙プロファイルにおいて、構成要素２が異なる用紙プロファイルを決定するには、以下に述べる手順１〜手順６を繰り返して実行し、所望の結果を得る必要がある。
【０００６】
なお、以下の説明で、用紙プロファイルを適用するトレイをトレイＡ、トレイＡに対して適用可能な既存の用紙プロファイルＸと用紙プロファイルＹとが存在する、としている。
手順１：トレイＡに対して、既存の用紙プロファイルＸを適用，
手順２：トレイＡから給紙した用紙に画像を形成して出力，
手順３：トレイＡから給紙されて出力された用紙の画像を確認，
手順４：出力された画像が所望の結果でない場合、トレイＡに別の既存の用紙プロファイルＹを適用，
手順５：手順２〜４を繰り返す，
手順６：出力された画像として所望の結果が得られた場合には、処理を終了する。
【０００７】
以上の選択操作としては、以下の(1)又は(2)のような場合に想定される。
(1)表裏調整値はトレイ毎に異なるので、他の設定は同じであるものの表裏調整値のみが異なる複数の用紙プロファイルを登録している。しかし、該当する用紙プロファイルとトレイとの関連（紐付け）を忘れてしまった。このため、既存の用紙プロファイルの中からトレイＡに相応しい（トレイＡのために作成した）用紙プロファイルを、類似する用紙プロファイルの中から探し出す。
【０００８】
(2)プロセス調整値は環境（室温、湿度）によって最適値が変わるため、環境に応じた複数の用紙プロファイルを登録している。そのような複数の用紙プロファイルの中から、現時点での環境に最も合致した用紙プロファイルを探し出す。
なお、このような画像形成装置における用紙プロファイルの処理については、以下の特許文献に関連した提案がなされている。
【先行技術文献】
【特許文献】
【０００９】
【特許文献１】特開２００８−２９４５５４号公報
【特許文献２】特開２０１０−２５２０５３号公報
【発明の概要】
【発明が解決しようとする課題】
【００１０】
上記特許文献１に記載の画像形成装置では、用紙プロファイルを生成するときに、表面の処理状態、厚み、地色等の記録用紙の特徴データ、基準データから得られる生成情報を関連付けて用紙プロファイルを保存しておくことで、用紙プロファイルがない新規記録用紙に対して、記録用紙の特徴データ、生成情報を基に、既存の用紙プロファイルから完全一致も含め、近似のプロファイルを抽出する、ことが提案されている。
【００１１】
上記特許文献２に記載の画像形成装置では、チャート印刷物の画質（色彩値）を測定して、画質特性（色域特性）を算出し、最も画質特性が類似するプロファイルを、予め用意されたプロファイル集合から選択することで、用紙に関する専門知識を必要とせずに、用紙に最適なプロファイルを簡易に取得することができる、ことが提案されている。
【００１２】
以上の特許文献１では、用紙プロファイルを作成する時点で余分な各種データを埋め込まなければならないという問題がある。また、以上の特許文献２では、チャートを出力し、そのチャートの測定結果から画質（色域）特性を算出しなければならないという問題がある。いずれにしても、簡易な手順で最適な用紙プロファイルを見つけることは困難であった。
【００１３】
本発明はこのような課題に鑑みてなされたものであって、事前に余分なデータを埋め込む必要がなく、また、チャート出力の特性解析などをすることなく、複数のプロファイルから最適プロファイルを決定することが可能な画像形成装置及び画像形成制御方法を実現することを目的とする。
【課題を解決するための手段】
【００１４】
（１）上記の課題を解決する一態様は、画像データに基づいた画像を用紙に形成する画像形成部と前記用紙の画像形成に関連する特性として設定される情報である用紙プロファイルを記憶する記憶部と、前記用紙を種類に応じてトレイに収容しており選択された用紙を前記トレイから前記画像形成部に送る給紙部と、前記用紙プロファイルを管理すると共に、画像形成に用いる前記用紙を選択し、選択された前記用紙の前記用紙プロファイルに応じて前記画像形成部における画像形成の際の各種条件を決定して画像形成を制御する制御部と、を有する画像形成装置であって、前記制御部は、一つのトレイに対して複数の用紙プロファイルを適用可能に選択し、同一の前記画像データについての前記トレイからの前記用紙を用いた画像形成を、選択された複数の前記用紙プロファイルそれぞれを適用して繰り返し実行するよう制御し、当該繰り返し実行された画像形成の結果に基づいて、複数の前記用紙プロファイルのいずれか１つを選択可能に表示することにより、複数の前記用紙プロファイルの中からユーザによって最適なプロファイルが選択されるように制御し、一つのトレイに対して複数の用紙プロファイルを適用可能に選択する際に、共通のグループ名称を有する複数の前記用紙プロファイルからなる一群の用紙プロファイル群を、選択の対象群として扱う、ことを特徴とする。
【００１５】
（２）以上の（１）において、前記制御部は、複数の前記用紙プロファイルそれぞれを適用した画像形成を実行する際に、各用紙に対して適用中の前記用紙プロファイルの名称を付加して画像形成する、ことを特徴とする。
（３）以上の（１）〜（２）において、前記制御部は、複数の前記用紙プロファイルそれぞれを適用した画像形成を実行した後に、前記複数の前記用紙プロファイルのうちの最適な一つの用紙プロファイルの確定選択を受け付け、複数の前記用紙プロファイルを適用した画像形成を実行した前記用紙が収容された前記トレイに、確定選択を受け付けた前記用紙プロファイルを適用する、ことを特徴とする。
【００１７】
（４）以上の（１）において、前記制御部は、既存の用紙プロファイルを用いて新たな用紙プロファイルを生成する際に、新たに生成された前記用紙プロファイルに既存の前記用紙プロファイルと共通のグループ名称を設定する、ことを特徴とする。
【発明の効果】
【００１８】
（１）上記の課題を解決する一態様において、一つのトレイに対して複数の用紙プロファイルを適用可能に選択し、同一の画像データについてのトレイからの用紙を用いた画像形成を、選択された複数の用紙プロファイルそれぞれを適用して繰り返し実行するよう制御するため、事前に余分なデータを埋め込む必要がなく、また、チャート出力の特性解析などをすることなく、一括して出力された画像を確認することで、複数のプロファイルから最適プロファイルを決定することが可能になる。また、一つのトレイに対して複数の用紙プロファイルを適用可能に選択する際に、共通のグループ名称を有する複数の用紙プロファイルからなる一群の用紙プロファイル群を、選択の対象群として扱うため、複数のプロファイルから最適プロファイルを決定する際に、関連のある適切な用紙プロファイルを複数選択することが容易になる。
【００１９】
（２）以上の（１）において、複数の用紙プロファイルそれぞれを適用した画像形成を実行する際に、各用紙に対して適用中の用紙プロファイルの名称を付加して画像形成するため、一括して出力された画像と適用された用紙プロファイルの名称を確認することで、複数のプロファイルから最適プロファイルを決定することが可能になる。
【００２０】
（３）以上の（１）〜（２）において、複数の用紙プロファイルそれぞれを適用した画像形成を実行した後に、複数の用紙プロファイルのうちの最適な一つの用紙プロファイルの確定選択を受け付け、複数の用紙プロファイルを適用した画像形成を実行した用紙が収容されたトレイに、確定選択を受け付けた用紙プロファイルを適用するため、一括して出力された画像を確認し、複数のプロファイルから最適プロファイルを確定することが可能になる。
【００２２】
（４）以上の（１）において、既存の用紙プロファイルを用いて新たな用紙プロファイルを生成する際に、新たに生成された用紙プロファイルに既存の用紙プロファイルと共通のグループ名称を設定するため、複数のプロファイルから最適プロファイルを決定する際に新たな用紙プロファイルを適切な状態に生成することが容易になる。
【図面の簡単な説明】
【００２３】
【図１】本発明の実施形態の画像形成装置の構成を示すブロック図である。
【図２】本発明の実施形態の画像形成装置の構成を示す構成図である。
【図３】用紙プロファイルに関連する画面例を示す説明図である。
【図４】用紙プロファイルに関連する画面例を示す説明図である。
【図５】用紙プロファイルに関連する画面例を示す説明図である。
【図６】用紙プロファイルに関連する画面例を示す説明図である。
【図７】用紙プロファイルに関連する画面例を示す説明図である。
【図８】用紙プロファイルに関連する画面例を示す説明図である。
【図９】本発明の実施形態の画像形成装置の動作を示すフローチャートである。
【図１０】本発明の実施形態の動作時の画面例を示す説明図である。
【図１１】本発明の実施形態の動作時の画面例を示す説明図である。
【図１２】本発明の実施形態の動作時の画像形成出力例を示す説明図である。
【図１３】本発明の実施形態の動作時の画面例を示す説明図である。
【図１４】本発明の実施形態の動作時の画面例を示す説明図である。
【図１５】本発明の実施形態の動作時の画面例を示す説明図である。
【図１６】本発明の実施形態の動作時の画面例を示す説明図である。
【図１７】本発明の実施形態の動作時の画面例を示す説明図である。
【図１８】本発明の実施形態の画像形成装置の動作を示すフローチャートである。
【発明を実施するための形態】
【００２４】
以下、図面を参照して本発明の画像形成装置及び画像形成制御方法を実施するための形態（以下、実施形態）を詳細に説明する。
〔画像形成装置の構成〕
図１−図２は本発明の実施の形態の概略構成を示す説明図である。ここで、図１は実施形態の画像形成装置１００の構成を示し、図２は画像形成装置１００における用紙搬送の流れと断面構成とを示している。
【００２５】
画像形成装置１００は、画像形成装置１００内の各部を制御する制御部１０１と、接続されている他の装置（図示せず）と通信するための通信部１０２と、利用者による操作入力に応じた操作入力信号を制御部１０１に通知すると共に画像形成装置１００の状態表示を行う操作表示部１０３と、用紙設定情報を含む各種情報や制御プログラムを記憶する記憶部１０４と、トレイ毎に収容されている用紙を給紙する給紙部１０５と、給紙され画像形成される用紙を所定速度で搬送する搬送部１１０と、原稿をスキャンして画像データを生成する原稿読込部１２０と、画像形成する際のイメージデータや各種データを記憶する画像データ記憶部１３０と、画像形成に必要な各種画像処理を実行する画像処理部１４０と、画像形成命令と画像処理後のイメージデータとに基づいて印刷（以下、「画像形成」と言う）を実行する画像形成部１５０と、搬送される用紙を必要に応じて表裏反転する反転部１８０と、画像形成された用紙を機外に排出する排出部１９０と、とを備えて構成されている。
【００２６】
なお、画像形成装置１００に対して、図示されない給紙装置、図示されない用紙処理装置などが接続されていても良い。
また、制御部１０１は、ＣＰＵ（Central Processing Unit）等により構成されており、本実施形態においては、用紙設定情報を管理すると共に、該用紙設定情報に基づいて画像形成に用いる用紙を選択する制御を行うものである。
【００２７】
また、操作表示部１０３は、画像形成装置１００に固定されたものに限られず、画像形成装置１００本体から取り外し可能なものであっても良いし、利用者が持参したタブレット端末を通信により操作表示部１０３として利用するようにしても良い。
記憶部１０４は、不揮発性の記憶手段であり、後述する用紙設定情報の集合である用紙プロファイルを複数記憶する。
【００２８】
また、給紙部１０５としては、トレイ１０５ａ（「トレイ１」）、トレイ１０５ｂ（「トレイ２」）、トレイ１０５ｃ（「トレイ３」）、トレイ１０５ｄ（「トレイ４」）、トレイ１０５ｅ（「トレイ５」）、を含んで構成される例を示す。
また、画像形成部１５０の構成は、一例として、トナー像が形成される像担持体１５１と、像担持体１５１を所定の電位で帯電させる帯電部１５２と、帯電した像担持体１５１に画像データに応じた露光をして静電潜像を形成する露光部１５３と、静電潜像を現像してトナー像にする現像部１５４と、像担持体１５１上のトナー像を用紙に転写する転写部１５５と、用紙上のトナー像を熱と圧力とで定着させる定着部１５６と、を有して構成される。なお、以上の画像形成部１５０について、ＹＭＣＫの色毎に同様の構成を備えることで、カラー画像形成が可能になる。
【００２９】
〔用語の定義〕
この実施形態において、電子写真方式のプリンタや複写機等の画像形成装置において画像形成における各種の設定や条件を「プロセス条件」と呼んでいる。
また、画像形成装置で使用される用紙の用紙種類，坪量，紙色，表裏の倍率差，帯電設定電位，転写電位といった用紙の種類や画像形成条件を示す属性情報を含んだ情報を「用紙設定情報」と呼んでいる。また、各用紙に対する用紙設定情報の集合を「用紙プロファイル」と呼ぶ。また、用紙設定情報は用紙に対する情報であるが、画像形成装置１００において各用紙が収容されるトレイに対応付けられて管理される。
【００３０】
〔用紙プロファイルの登録〕
ここで、本実施形態の画像形成装置の制御において使用される用紙プロファイルについて、基本的な登録について説明を行う。
ユーザの操作表示部１０３での操作に応じて、制御部１０１が用紙プロファイル一覧画面１０３Ｇ１を操作表示部１０３に表示した状態を図３に示す。ここでは、用紙プロファイルが作成されておらず、空欄状態になっている。
【００３１】
ここで、ユーザの操作表示部１０３での操作により、図３の用紙プロファイル一覧画面１０３Ｇ１の用紙プロファイル００１の欄が選択され（図３ａ）、［追加／編集］のタブ（図３ｂ）が選択されたとする。
このようなユーザの操作に応じて、制御部１０１は、用紙プロファイル登録画面１０３Ｇ２を操作表示部１０３に表示する。
【００３２】
ここで、ユーザは、用紙種類、用紙プロファイル名、用紙サイズ、坪量、用紙色、パンチ有無、表裏調整、エアブロー、エキスパート調整、カール調整、などの各項目（図４ｃ）を、操作表示部１０３から用紙プロファイル登録画面１０３Ｇ２を介して設定する。なお、図４の例では、用紙種類としてラフ紙を選択している時点の様子を示している。
【００３３】
ここで、ユーザの操作表示部１０３での操作により、各項目の設定入力の後に、用紙プロファイル登録画面１０３Ｇ２で、［ＯＫ］のタブ（図４ｄ）が選択されたとする。
このようなユーザの操作に応じて、制御部１０１は、用紙プロファイル００１を登録し、図５の用紙プロファイル一覧画面１０３Ｇ１の用紙プロファイル００１の欄に、新たに登録された用紙プロファイル（用紙プロファイル名「my paper」）を表示する。
【００３４】
〔用紙プロファイルの呼び出し（適用）〕
ここで、本実施形態の画像形成装置の制御において使用される用紙プロファイルについて、基本的な呼び出し（適用）について説明を行う。
ユーザの操作表示部１０３での操作に応じて、制御部１０１が用紙設定画面１０３Ｇ３を操作表示部１０３に表示した状態を図６に示す。
【００３５】
ここで、ユーザの操作表示部１０３での操作により、図６の用紙設定画面１０３Ｇ３のトレイ選択欄でトレイ４が選択され（図６ｆ）、更に、［設定呼出し］のタブ（図６ｇ）が選択されたとする。なお、トレイ４が選択された時点で、トレイ４に既に適用されている用紙プロファイルが存在していれば、その用紙プロファイルの内容が図６の用紙設定画面１０３Ｇ３に表示される。
【００３６】
以上のような用紙設定画面１０３Ｇ３（図６）におけるユーザの操作に応じて、制御部１０１は、呼出し可能な用紙プロファイルを一覧表示する用紙プロファイル呼出し画面１０３Ｇ４（図７）を操作表示部１０３に表示する。ここでは、呼出し可能な用紙プロファイルとして、００１の用紙プロファイル（用紙プロファイル名「my paper」）が表示されている。
【００３７】
ここで、ユーザの操作表示部１０３での操作により、図７の用紙プロファイル呼出し画面１０３Ｇ４の用紙プロファイル００１の欄が選択され（図７ｈ）、［ＯＫ］のタブ（図７ｉ）が選択されたとする。
このようなユーザの操作に応じて、制御部１０１は、００１の用紙プロファイル（用紙プロファイル名「my paper」）を呼び出して、トレイ４に適用する。以後、トレイ４に対して別の用紙プロファイルの適用があるまでは、この時点で適用した用紙プロファイルが有効になる。
【００３８】
図８は、以上のようなユーザの操作に応じて、制御部１０１がトレイ４に対して、００１の用紙プロファイル（用紙プロファイル名「my paper」）を適用した状態の用紙設定画面１０３Ｇ３を示している。
〔動作（１）〕
以下、第１実施形態の用紙プロファイルの取り扱い手法について、図９のフローチャート、及び図１０以降の説明図を参照して詳細に説明する。
【００３９】
制御部１０１が用紙設定画面１０３Ｇ３（図６参照）を操作表示部１０３に表示した状態において、ユーザの操作表示部１０３での操作により、図６の用紙設定画面１０３Ｇ３のトレイ選択欄でいずれかのトレイが選択される（図９中のステップＳ１００）。ここでは、選択されるトレイを「トレイＡ」と呼ぶ。
【００４０】
以上のような用紙設定画面１０３Ｇ３におけるユーザの操作に応じて、制御部１０１は、選択可能な用紙プロファイルを一覧表示する用紙プロファイル呼出し画面１０３Ｇ４（図１０）を操作表示部１０３に表示する。この図１０の用紙プロファイル呼出し画面では、選択可能な用紙プロファイルとして、０２１［山桜１］〜０３０［ハイランド］といった１０種類の用紙プロファイル一覧が表示されている。
【００４１】
ここで、ユーザの操作表示部１０３での操作により、図１０の用紙プロファイル呼出し画面１０３Ｇ４の「複数選択一括出力」のタブ（図１０ｊ）が選択されたとする。このようなユーザの操作に応じて、制御部１０１は、選択されたトレイＡに対して複数の用紙プロファイルを選択可能に一覧表示する用紙プロファイル複数選択画面１０３Ｇ５（図１１）を操作表示部１０３に表示する（図９中のステップＳ１０１）。
【００４２】
この用紙プロファイル複数選択画面１０３Ｇ５（図１１）では、一覧表示されている複数の用紙プロファイルの中から複数の用紙プロファイルを選択可能にチェックボックス（図１１ｋ）が設けられている。
このような用紙プロファイル複数選択画面１０３Ｇ５（図１１）において、ユーザは、選択しているトレイＡに対して複数の用紙プロファイルを適用可能に選択する（図９中のステップＳ１０２）。図１１の例では、０２１［山桜１］，０２２［山桜２］，０２３［山桜３］，０２４［山桜４］，０２５［山桜５］，０２６［山桜６］の合計６個の用紙プロファイルが選択されてチェックマークが付された状態を示している（図１１ｋ参照）。
【００４３】
ここで、ユーザの操作表示部１０３での操作により、図１１の用紙プロファイル複数選択画面１０３Ｇ５「出力」のタブ（図１１ｍ）が選択されたとする（図９中のステップＳ１０３でＹＥＳ）。
このようなユーザの操作に応じて、制御部１０１は、複数選択された用紙プロファイルのうちの第１番目を選択されているトレイＡに適用する（図９中のステップＳ１０４）。
【００４４】
ここで、制御部１０１は、適用する用紙プロファイルの名称を、当該用紙プロファイルを適用して画像形成予定の画像データに含めるように、画像処理部１４０を制御する（図９中のステップＳ１０５）。そして、制御部１０１は、適用された用紙プロファイルにて、トレイＡからの用紙を用いて給紙、画像形成、排紙を実行するよう、画像形成装置１００の各部を制御する（図９中のステップＳ１０６）。
【００４５】
なお、ここで、画像形成を行う画像データとしては、ユーザが画像形成を実行しようとしているものと同じ画像データであっても良いし、各種の文字や画像が含まれたテストデータであっても構わない。
ここで、制御部１０１は、１番目の用紙プロファイルを適用して画像形成を実行した用紙が排出されたかを確認する（図９中のステップＳ１０７）。制御部１０１は、用紙の排紙が確認できれば（図９中のステップＳ１０７でＹＥＳ）、複数選択された用紙プロファイルの次のものを、選択されているトレイＡに適用する（図９中のステップＳ１０９）。このようにして、複数選択された用紙プロファイルについて、用紙プロファイル名称を反映させた画像データの画像形成を繰り返し実行する（図９中のステップＳ１０９、Ｓ１０５〜Ｓ１０８）。
【００４６】
図１２は、以上のようにして複数の選択された用紙プロファイルを適用して画像形成を実行して出力された用紙の様子を模式的に示した説明図である。それぞれの出力（図１２（ａ）〜図１２（ｆ））は、適用される用紙プロファイルが異なるため、異なる状態の画像が形成されている。また、それぞれの出力には、適用された用紙プロファイルの名称が反映されている。なお、画像データに反映させた用紙プロファイルの名称としては、ここでは、山桜１〜山桜６となっているが、これに限定されず、０２１山桜１〜０２６山桜６のように番号を入れても良いし、０２１山桜１（１／６）〜０２６山桜６（６／６）のように選択順序を入れても良い。
【００４７】
ここで、制御部１０１は、用紙プロファイル複数選択画面１０３Ｇ５（図１１）においてユーザにより選択されて用紙の一括出力を行った複数の用紙プロファイルについて、いずれか１を選択可能に一覧表示する用紙プロファイル確定選択画面１０３Ｇ６（図１３）を操作表示部１０３に表示する（図９中のステップＳ１１０）。この図１３の用紙プロファイル確定選択画面では、既に選択された用紙プロファイルである山桜１〜山桜６が一覧表示されている。
【００４８】
ユーザは、複数の用紙プロファイルが適用されて一括出力された用紙群（図１２）を参照し、最も適切な画像形成であると判断した用紙を決定し、その用紙に記録された用紙プロファイルの名称を確認する。そして、ユーザは、図１３の用紙プロファイル確定選択画面において、持っても適切な画像形成であると判断した用紙に適用されたのと同じ１つの用紙プロファイルを選択し（図１３ｎのチェックマーク）、「確定」のタブ（図１３ｏ）を押下する（図１３中のステップＳ１１２でＹＥＳ）。
【００４９】
このようなユーザからの１つの用紙プロファイルの選択と確定タブの押下との操作を操作表示部１０３から受けた制御部１０１は、選択と確定との操作を受けた１つの用紙プロファイルをトレイＡに確定的に適用する（図９中のステップＳ１１３）。
以上説明したように、一つのトレイに対して複数の用紙プロファイルを適用可能に選択し、同一の画像データについてのトレイからの用紙を用いた画像形成を、選択された複数の用紙プロファイルそれぞれを適用して繰り返し実行するよう制御するため、事前に余分なデータを埋め込む必要がなく、また、チャート出力の特性解析などをすることなく、一括して出力された画像を確認することで、複数のプロファイルから最適プロファイルを決定することが可能になる。また、この実施形態によると、適用候補となる複数のプロファイルを選択して順次適用して一括出力しているため、ユーザが同じ操作を何度も繰り返す必要がなくなる。
【００５０】
〔動作（２）〕
以下、第２実施形態の用紙プロファイルの取り扱い手法について、図１４〜図１７の説明図を参照して詳細に説明する。
制御部１０１が用紙プロファイル呼出し画面１０３Ｇ４において所定の順序で複数の用紙プロファイルを表示している（図１４参照）。表示順序は、作成日時順（昇順／降順）、名称順（昇順／降順）、用紙サイズ順（昇順／降順）など、初期設定あるいはユーザ設定による順序である。
【００５１】
なお、この用紙プロファイル呼出し画面１０３Ｇ４では、用紙プロファイルのグループ名称（図１４ｐ）も表示されている。この図１４では、用紙プロファイルの山桜１〜山桜３は、グループ山桜に属している。同様に、用紙プロファイルの雷鳥（高温）と雷鳥（低温）とは、グループ雷鳥に属している。なお、用紙プロファイルのハイランドにはグループの設定が無い。
【００５２】
ここで、ユーザの操作表示部１０３での操作により、図１５の用紙プロファイル呼出し画面１０３Ｇ４のグループの項目（図１５ｑ）が選択される。なお、ユーザがグループの項目（図１５ｑを選択する毎に、三角マークの上下の向きが変わって、グループ・降順とグループ・昇順とが切り替わる。
【００５３】
そして、ユーザの操作表示部１０３での操作により、図１５内のソートのタブ（図１５ｒ）が選択されたとする。このようなユーザの操作に応じて、制御部１０１は、図１５に示すように、用紙プロファイル呼出し画面１０３Ｇ４において、グループ単位の順で複数の用紙プロファイルを一覧にして表示する。この図１５では、グループ・山桜、グループ・雷鳥、グループ・無しの順で用紙プロファイルの一覧が表示されている。
【００５４】
また、図１６の用紙プロファイル呼出し画面１０３Ｇ４において、いずれかの用紙プロファイルがチェックマークにより選択され（図１６ｓ）、複製のタブ（図１６ｔ）が選択されたとする。このようなユーザの操作に応じて、制御部１０１は、選択された用紙プロファイル（図１６では、「山桜１」）について、複製された用紙プロファイル（図１７では［山桜１〜コピー］）を生成し、用紙プロファイル呼出し画面１０３Ｇ４の一覧に加えて表示する（図１７ｕ）。
【００５５】
このようにして、用紙プロファイルをグループ単位で扱ったり（図１４，図１５）、複製を生成する（図１６，図１７）ことで、動作（１）で説明した複数の用紙プロファイルの選択（図９中のステップＳ１０１〜Ｓ１０２）を簡便に行うことが可能になる。
すなわち、グループソートにより同じグループに属する複数の用紙プロファイルを一覧表示した上で複数選択することが容易になる。制御部１０１は、一つのトレイに対して複数の用紙プロファイルを適用可能に選択する際に、共通のグループ名称を有する複数の用紙プロファイルからなる一群の用紙プロファイル群を、選択の対象群として扱うことも可能である。このように、複数の用紙プロファイルを選択の対象群として扱うことで、複数のプロファイルから最適プロファイルを決定する際に、関連のある適切な用紙プロファイルを複数選択することが容易になる。例えば、同じグループに属する用紙プロファイルが番号（００１〜５００）が離れていて、初期の用紙プロファイル呼出し画面１０３Ｇ４では同じ画面に表示されないような場合でも、グループのソートにより同じグループに属する用紙プロファイルを纏めて表示できるため、複数選択も容易になる。
【００５６】
また、ある用紙プロファイルを複製した後に修正し、同じグループ内に属する新たな用紙プロファイルを作成することで、同じグループに属する複数の用紙プロファイルを一覧表示した上で複数選択することが容易になる。すなわち、制御部１０１は、既存の用紙プロファイルを用いて新たな用紙プロファイルを生成する際に、新たに生成された用紙プロファイルに既存の用紙プロファイルと共通のグループ名称を設定するため、複数のプロファイルから最適プロファイルを決定する際に新たな用紙プロファイルを適切な状態に生成することが容易になる。
【００５７】
〔動作（３）〕
以上の第２実施形態の用紙プロファイルの取り扱い手法を改良した第３実施形態について、図１８のフローチャートを参照して詳細に説明する。
制御部１０１が用紙プロファイル呼出し画面１０３Ｇ４において所定の順序で複数の用紙プロファイルを表示している（図１８中のステップＳ２０１）。なお、この一覧表示を［一覧ａ］と呼ぶことにする。
【００５８】
なお、この一覧ａにおける表示順序は、用紙プロファイルの管理と対応していて、表示順序の変更によりマスターデータの順序まで変更されてしまうなど、表示順序を変更することが望ましくない場合がある。一方、上述した動作（１）や動作（２）のように、複数の用紙プロファイルを選択する場合には、グループ毎のソート結果を一覧表示することが望ましい。
【００５９】
ここで、ユーザの操作表示部１０３での操作により、図１５の用紙プロファイル呼出し画面１０３Ｇ４のグループの項目（図１５ｑ）が選択され、ソートのタブ（図１５ｒ）が選択されたとする（図１８中のステップＳ２０２）。
このようなユーザの操作に応じて、制御部１０１は、用紙プロファイルのマスターデータに変更を加えずに、表示のためだけに、用紙プロファイル呼出し画面１０３Ｇ４の一覧表示に相当する新規な一覧表示（［一覧ｂ］）を作成する（図中のステップＳ２０３）。なお、このステップＳ２０３の時点では初期化により、一覧表示すべき内容は存在していない。
【００６０】
そして、制御部１０１は、一覧ａ内のグループ設定有りの用紙プロファイルについて、一覧ｂに未登録のものがあるか探索する（図１８中のステップＳ２０４）。
一覧ａ内のグループ設定有りの用紙プロファイルで一覧ｂに未登録のものがあれば（図１８中のステップＳ２０５でＹＥＳ）、制御部１０１は、一覧ａにおけるのと同じグループに、該当する用紙プロファイルを一覧ｂとして登録していく（図１８中のステップＳ２０６）。
【００６１】
一覧ａ内のグループ設定有りの用紙プロファイルで一覧ｂに未登録のものがなくなれば（図１８中のステップＳ２０５でＮＯ）、制御部１０１は、一覧ａ内のグループ設定無しの用紙プロファイルについて、一覧ｂに未登録のものがあるか探索する（図１８中のステップＳ２０７）。
【００６２】
一覧ａ内のグループ設定無しの用紙プロファイルで一覧ｂに未登録のものがあれば（図１８中のステップＳ２０８でＹＥＳ）、制御部１０１は、該当する用紙プロファイルを一覧ｂとして登録していく（図１８中のステップＳ２０９）。
そして、一覧ａ内のグループ設定無しの用紙プロファイルで一覧ｂに未登録のものがなくなれば（図１８中のステップＳ２０８でＮＯ）、制御部１０１は、一覧ａに含まれる用紙プロファイルをグループ有無に分かれた状態にして、一覧ａとは独立して新規作成した一覧ｂとして、操作表示部１０３に表示する。
【００６３】
この動作（３）のようにすることで、元になる一覧ａの内容を変更せずに、一覧ａとは独立しつつグループ別の表示の一覧ｂについて、用紙プロファイル呼出し画面１０３Ｇ４などで一覧表示が可能になる。
なお、この動作（３）ではグループ別に新規な一覧表示ｂを作成するようにしたが、これに限定されるものではない。例えば、一覧表示ａとは独立して、用紙プロファイル名称の順序（昇順／降順）の一覧表示ｂを作成して表示することが可能になる。
【００６４】
〔その他の実施形態〕
なお、以上の実施形態において、具体例に示した動作、表示例として示した画面などは一例であって、これらの例に限定されるものではない。
【符号の説明】
【００６５】
１００  画像形成装置
１０１  制御部
１０２  通信部
１０３  操作表示部
１０４  記憶部
１０５  給紙部
１１０  搬送部
１２０  原稿読込部
１３０  画像データ記憶部
１４０  画像処理部
１５０  画像形成部
１８０  反転部
１９０  排出部
【図１】
0006555097.tif 000002
【図２】
0006555097.tif 000003
【図３】
0006555097.tif 000004
【図４】
0006555097.tif 000005
【図５】
0006555097.tif 000006
【図６】
0006555097.tif 000007
【図７】
0006555097.tif 000008
【図８】
0006555097.tif 000009
【図９】
0006555097.tif 000010
【図１０】
0006555097.tif 000011
【図１１】
0006555097.tif 000012
【図１２】
0006555097.tif 000013
【図１３】
0006555097.tif 000014
【図１４】
0006555097.tif 000015
【図１５】
0006555097.tif 000016
【図１６】
0006555097.tif 000017
【図１７】
0006555097.tif 000018
【図１８】
0006555097.tif 000019